(57)【要約】【課題】集魚灯用二重管型ランプにおいて、安価で簡素な構造により、海上の漁船の振動をうけても給電機構が保持される二重管型ランプを提供すること。【解決手段】外管３１の中に、該外管の長手方向に伸びるように内部ランプ１０が配置されて収容され、該内部ランプ１０は、両端から内部ランプリード２５が外管３１の内部空間Ｓに突出してなり、当該外管３１の封止部３２は長手方向の一端において封止される集魚灯用二重管型ランプ３０において、前記内部ランプ１０は、前記内部ランプリード２５が、前記外管３１の封止部３２から内部空間Ｓに向けて突出する給電フレーム２６と給電リード２５と接続することによって保持され、該給電リード２５は、屈曲して両端が外管３１の封止部３２に埋設され、前記内部ランプリードのうち外管の封止部側に位置する一方と、２ヶ所以上で電気的に接続し、接合されて固定していることを特徴とする集魚灯用二重管型ランプ。【選択図】図１
2010073609.tif 000002
【特許請求の範囲】
【請求項１】
外管の中に、該外管の長手方向に伸びるように内部ランプが配置されて収容され、
該内部ランプは、両端から内部ランプリードが外管の内部空間に突出してなり、
当該外管の封止部は長手方向の一端において封止される集魚灯用二重管型ランプにおいて、
前記内部ランプは、前記内部ランプリードが、前記外管の封止部から内部空間に向けて突出する給電フレームと給電リードと接続することによって保持され、
該給電リードは、屈曲して両端が外管の封止部に埋設され、前記内部ランプリードのうち外管の封止部側に位置する一方と、２ヶ所以上で電気的に接続し、接合されて固定していることを特徴とする集魚灯用二重管型ランプ。
【請求項２】
前記外管の封止部は箔シール構造であり、前記給電リードの少なくとも一方の端部が金属箔と接合していることを特徴とする請求項１に記載の集魚灯用二重管型ランプ。
【請求項３】
前記給電リードの一端部は、金属箔と金属箔の間で封止部内に埋設していることを特徴とする請求項２に記載の集魚灯用二重管型ランプ。
【請求項４】
前記内部ランプは、メタルハライドランプであることを特徴とする請求項１ないし３のいずれかに記載の集魚灯用二重管型ランプ。
【発明の詳細な説明】
【技術分野】
【０００１】
本発明は、たとえば漁船などの船舶において使用される集魚灯用ランプ、特に二重管型ランプを用いる集魚灯用二重管型ランプに関する。
【背景技術】
【０００２】
サンマ漁やイカ漁などにおいては、光に集まる魚の習性を利用して魚を集めるための集魚灯が広く利用されており、従来はこれらの集魚灯には白熱ランプが用いられてきた。
図５は、集魚灯の使用法を説明するための図である。
集魚灯１は竿４に固定されて漁船５の外方、すなわち海上に突出し、傾斜させて点灯される。これにより、集魚灯１は海面を照らして魚を集めることができる。このような状況で集魚灯１は使用されるので、漁船の航行のために軽量で小型であることが好ましい。  
しかし、集魚灯の電力は漁船の燃料を利用した発電機により賄われているため、近年の燃料高騰をうけて省電力化の要求が高まっている。また、集魚灯としては魚を集めるためにある程度の明るさを確保する必要がある。
一方、メタルハライドランプは白熱ランプに比べて電力が６分の１以下であり、明るさは２倍であるなど、集魚灯の光源として好ましい性能を備えておりコンパクトでもある。そのため、集魚灯用の光源として二重管型のメタルハライドランプが近年利用され始めている。このような二重管型のメタルハライドランプとしては、例えば特開２００２−３０４９６７号（特許文献１）がある。
【０００３】
図６は、従来の二重管型ランプの概略構成を示す全体図である。二重管型ランプ７０は、透光性材料よりなる一端に封止部７２を有するシングルエンド型の外管７１と、この外管７１の内部に収容される内部ランプ５０より構成される。
外管７１内部の内部ランプ５０への給電は、一旦が封止部７２に埋設された外部リード７４、封止部７２内に埋設される金属箔７９を介して電気的に接続された、給電リード６５、給電フレーム６６によって行われる。
給電フレーム６６は、外管の内壁に沿って長手方向（管軸方向）に延び、ランプの先端付近で長手方向から略垂直に屈折し短手方向（径方向）に延びたのち、再び封止部７２の方向に向かって折り返される。この給電フレーム６６に対して、外管の先端側に位置する内部ランプリード６３が溶接される。
給電リード６５は、封止部７２側に位置する内部ランプリード６４と溶接される。このような構造をとることにより、簡素にランプの給電と保持を行うことができるので、安価で製造することができる。
【特許文献１】特開２００２−３０４９６７号
【発明の開示】
【発明が解決しようとする課題】
【０００４】
内部ランプが白熱ランプからメタルハライドランプに置き換わることによって、従来よりも外管の封止部の温度は上昇した。これにより、封止部にクラックが生じる等の別の不具合が発生したため、内部ランプと外管の封止部は一定以上の距離を長く離して、温度上昇を防ぐという改良が行われた。
しかし、漁船の移動の際に波がこの漁船の船体にぶつかることで発生する振動や、漁船に収容された発電機の振動などによりリード線の固定が外れて不点灯になるという問題が発生した。これは、外管の封止部と内部ランプとの距離が長くとられることによって、内部ランプリードとこれに接続される給電リードが長くなり、振動による影響を顕著に受けるようになったためと考えられる。
【０００５】
以上から、本発明は集魚灯用二重管型ランプにおいて、安価で簡素な構造により、海上の漁船の振動をうけても給電機構が保持される二重管型ランプを提供することを目的とする。
【課題を解決するための手段】
【０００６】
上記課題を解決するために、本発明は、外管の中に、該外管の長手方向に伸びるように内部ランプが配置されて収容され、該内部ランプは、両端から内部ランプリードが外管の内部空間に突出してなり、
当該外管の封止部は長手方向の一端において封止される集魚灯用二重管型ランプにおいて、前記内部ランプは、前記内部ランプリードが、前記外管の封止部から内部空間に向けて突出する給電フレームと給電リードと接続することによって保持され、該給電リードは、屈曲して両端が外管の封止部に埋設され、前記内部ランプリードのうち外管の封止部側に位置する一方と、２ヶ所以上で電気的に接続し、接合されて固定していることを特徴とする。
【０００７】
また、本発明は、前記外管の封止部は箔シール構造であり、前記給電リードの少なくとも一方の端部が金属箔と接合していることを特徴とする。
【０００８】
また、本発明は前記給電リードの一端部が、金属箔と金属箔の間で封止部内に埋設していることを特徴とする。
【０００９】
また、本発明は前記内部ランプがメタルハライドランプであることを特徴とする。
【発明の効果】
【００１０】
本発明は、内部ランプリードが、外管の封止部から内部空間に向けて突出する給電フレームと給電リードと接続することによって保持され、給電リードは、屈曲して両端が外管の封止部に埋設され、内部ランプリードのうち外管の封止部側に位置する一方と、２ヶ所以上で電気的に接続し接合されて固定しているので、きわめて簡素にランプの給電と保持を行うことができ、かつ海上での振動を受けても導電部材が外れて不点灯が生じることのない集魚灯用二重管型ランプを安価で製造することができる。
【００１１】
また、本発明は、箔シール構造であり、給電リードの少なくとも一方の端部が金属箔と接合していることにより、外管の内部を真空にし、または不活性ガスで満たして気密に保持するので導電部材が酸化することなく、口金を必要としないのでランプを小型化することができる。
【００１２】
また、本発明は、給電リードの一端部が、金属箔と金属箔の間で封止部内に埋設していることにより、給電リードはより安定して固定される。
【００１３】
また、本発明は、内部ランプをメタルハライドランプとすることにより、十分な明るさを確保でき、省電力であるので、発電による燃料の負担を軽減することができる。
【発明を実施するための最良の形態】
【００１４】
図１は、本発明の二重管型ランプの概略構成を示す全体図である。
二重管型ランプ３０は、例えば石英ガラスなどの透光性材料よりなり、一端に封止部３２を有する外管３１と、この外管３１の内部に収容される内部ランプ１０より構成される。外管３１は縦長の略円筒形であり、扁平な封止部３２が形成される一端を基端側、その反対を先端側とする。
【００１５】
外管３１の内部には、内部ランプ１０がその長手方向と外管３１の長手方向とが一致するよう縦長に挿入されて、例えばピンチシールによって気密に封止される。二重管型ランプ３０はこのようにして形成され、外管３１の内部空間Ｓは、金属により構成される導電部材の酸化防止のため、真空、または不活性ガスが充填される。また、外管３１はこのような箔シール構造とすることにより、口金を必要としないのでランプを小型化することができる。
【００１６】
内部ランプ１０の発光管１１は、例えば石英ガラスよりなり、中央に略球状の発光部と両端に封止部１２を有して内部には電極２１、２２が対向配置される。電極２１、２２は、封止部１２内で気密に封止された金属箔２９に各々接続される。金属箔２９は、外部に突出する内部ランプリード２４に接続されて外部より給電される。
【００１７】
内部ランプ１０には、高輝度で省電力であるメタルハライドランプを用いることが好ましい。したがって、内部ランプ１０の放電ガスとしては、ハロゲン化ジスプロシウム、ハロゲン化セシウム等が発光管１１内に所定量封入され、例えば、沃化ジスプロシウム、臭化ジスプロシウムまたは沃化セシウムが1ｍｇ程度封入される。
【００１８】
内部ランプ１０への給電は、一端が外管３１の封止部３２に埋設されるとともに外管３１の外方に突出する２本の外部リード３４と、この外部リード３４の各々に接続した金属箔３９を介して電気的に接続される給電リード２５、給電フレーム２６によって行われる。
給電フレーム２６は、外管の内壁に沿って長手方向（管軸方向）に延び、外管の先端付近で長手方向から略垂直に屈折し短手方向（径方向）に延びたのち、再び封止部３２の方向に向かって折り返される。
この給電フレーム２６に対して、外管３１の先端側に位置する内部ランプリード２３が溶接される等して電気的に接続されるとともに固定される。給電フレーム２６には、例えばモリブデンなどの金属線材が用いられるので、給電フレーム２６を外管３１の内壁に当接させて内部ランプ１０を固定すると共に、弾性的に保持することができる。金属線材の太さは例えば外径１．０ｍｍのものであり、太すぎる場合には封止の信頼性と作製時の作業性が悪化する。
【００１９】
給電リード２５は、一端が封止部３２内で金属箔３９に接続され、外管３１の内部を長手方向に延び、Ｖ字状に屈曲して封止部３２方向に折り返して、他端が封止部３２内の二枚の金属箔３９のあいだに埋設される。このように給電リード２５の両端は、封止部３２内に埋設されて強固に固定され、折り返して屈曲していることにより、内部ランプリード２４が交差できる点が２点に増えている。
この給電リード２５に対して、封止部３２側の内部ランプリード２４は屈曲して交差し、２ヶ所で溶接等されて接合部２８を形成し、電気的に接続される。こうした給電フレーム２６および給電リード２５には、例えば前記したようにモリブデンなどの金属線材を好適に用いることができる。
【００２０】
このように給電リード２５は屈曲して両端が封止部３４に埋設しているので強固に固定されて振動にも強い。また、他端が封止部３２内の二枚の金属箔と金属箔のあいだに埋設されていることにより、給電リード２５はより安定して固定される。
さらに、内部ランプリード２４が交差して接続できる点が二点あるので、例え一点が外れたとしても、他点で接続しているので不点灯になる心配がなく、内部ランプリード２４を屈曲させて交差して接合できるので、ばねのように振動を吸収することもできる。
給電フレーム２６および給電フレーム２５が上記のような構造をとることにより、きわめて簡素にランプの給電と保持を行うことができ、かつ海上での振動を受けても導電部材が外れて不点灯が生じることのない集魚灯用二重管型ランプを安価で製造することができる。
【００２１】
図２の（ａ）、（ｂ）はそれぞれ本発明の他の実施形態の概略構成図である。図１と同様の構成については説明を省略する。
図２（ａ）において、二重管型ランプ３０内部の給電リード２５は、一端が封止部３２内で金属箔３９に接続され、他端が外管３１の内部を長手方向に延びＵ字状に屈曲して封止部３２方向に折り返して、同じ金属箔３９に接続されて埋設される。このように、給電リードは屈曲して両端が封止部３２内に埋設され、いずれか一端に金属箔３９が接続されて給電をすることができればよい。
【００２２】
図２（ｂ）において示すように、給電リード２５を外管３１の内部空間で複数回屈曲させて、両端を封止部３２内に埋設する構成をとることもできる。このような構成によれば、接合部２８を３ヶ所以上とすることができるので、内部ランプリード２４との接続をより強固なものにすることができる。
【００２３】
図３は、本発明の図１に示した二重管型ランプを反射鏡と組み合わせた構成の一例を示す概略断面図である。二重管型ランプ３０については、図１に示したものと同様である。
図３において、二重管型ランプ３０は、窓４１を備える凹面状の反射鏡４２に挿入されてランプユニット４０を構成する。二重管型ランプ３０より突出する外部リード３４には不図示のリード線が接続されて給電される。この外部リード３４および封止部３２の周囲は、防水、絶縁の目的で、例えば不図示のシリコーンゴムよりなる部材で被覆される。このように、二重管型ランプ３０は、口金を必要としないのでコンパクトにランプユニット４０を構成できる。ランプユニット４０は図５に示したような集魚灯の灯具内に収容されて使用される。
【００２４】
次の本発明にかかる二重管型ランプの実施例について説明する。
〔実施例〕
本発明と従来例の二重管型ランプについて、耐震性を評価する比較実験を行った。
図１に示した構成に基づいて、本発明にかかる二重管型ランプを作製し、図６に示した構成に基づいて従来例にかかる二重管型ランプを作製した。本発明と従来例とは、給電リードの構成のみが相違し、それ以外は同様とした。以下に実験について説明する。
【００２５】
耐震性の評価はスイープ試験により行った。
まず、振動試験台の上に、本発明と従来例との２種類の二重管型ランプを、長手方向が水平になるよう固定した。固定したランプに対し、垂直上下に振幅１ｍｍとなる振動を直線的に加えた。加える振動の振動数は、１Ｈｚより開始して５分間で１００Ｈｚに達する割合で、時間が経過すると共に増加させ、各ランプの給電リードと内部ランプリードの接続がすべて外れるまで測定した。
図４はスイープ試験の測定結果であり、接続がすべて外れたときの各々の試料における振動数を示している。
図４に示すように、従来例のランプでは、接続が弱く１２９Ｈｚで接続が外れたのに対し、本発明のランプでは２１１Ｈｚまで外れなかった。
以上により、本発明に係る実施例の二重管型ランプが、従来例にかかる二重管ランプよりも耐震性が高く、海上で利用される漁業用の集魚灯用光源として好ましいことがわかった。
【図面の簡単な説明】
【００２６】
【図１】本願発明の実施形態にかかる二重管型ランプの全体構成を示す概略図である。
【図２】（ａ）、（ｂ）はそれぞれ本発明の他の実施形態の全体構成を示す概略図である。
【図３】本願発明を反射鏡と組み合わせた構成の一例を示す概略断面図である。
【図４】本願発明の実験結果を示す図である。
【図５】集魚灯の利用状況を説明するための図である。
【図６】従来例にかかる二重管型ランプの全体構成を示す概略図である。
【符号の説明】
【００２７】
１        集魚灯
４        竿
５        漁船
１０      内部ランプ
１１      発光管
１２      封止部
２１      電極
２２      電極
２３      内部ランプリード
２４      内部ランプリード
２５      給電リード
２６      給電フレーム
２８      接合部
２９      金属箔
３０      二重管型ランプ
３１      外管
３２      封止部
３４      外部リード
３９      金属箔
４０      ランプユニット
４１      窓
４２      反射鏡
４３      ベース
５０      内部ランプ
５１      発光管
５２      封止部
６１      電極
６２      電極
６３      内部ランプリード
６４      内部ランプリード
６５      給電リード
６６      給電フレーム
６８      接合部
６９      金属箔
７０      二重管型ランプ
７１      外管
７２      封止部
７４      外部リード
７９      金属箔
Ｓ        内部空間
【図１】
2010073609.tif 000003
【図２】
2010073609.tif 000004
【図３】
2010073609.tif 000005
【図４】
2010073609.tif 000006
【図５】
2010073609.tif 000007
【図６】
2010073609.tif 000008